(57)【特許請求の範囲】
【請求項１】
鎌本体と、この鎌本体に調整可能に取付けられる鎌先端部と、前記鎌本体に設けられメネジ部と螺合した状態で鎌先端部と鎌本体とを一体的に結合する調整ねじとから構成され、前記鎌本体には、鎌先端部の係合部がスライド係合するガイド切欠部が形成されている引戸調整用鎌。
【請求項２】
請求項１に於て、鎌先端部の係合部は、鎌本体のガイド切欠部の第１切欠部に嵌合する首状嵌合部と、この首状嵌合部に対し外方向に膨出し、かつ、ガイド切欠部の第２切欠部と係合する抜脱防止部とから成り、前記首状嵌合部の前壁には調整ねじの係合頭部が嵌合する前壁凹所が形成されていることを特徴とする引戸調整用鎌。
【請求項３】
請求項１又は請求項２に於いて、首状嵌合部の後壁には調整ねじの大径先端部が嵌合する凹所が形成されていることを特徴とする引戸調整用鎌。
【発明の詳細な説明】
【０００１】
【発明の属する技術分野】
本発明は鎌を備えた引戸のチリ（ここでは、例えば引戸と戸枠との隙間、と定義する。）を調整することができる引戸調整用鎌に関する。
【０００２】
【従来の技術】
従来、一対の引戸同士、あるいは一枚の引戸と戸枠の間に於いて、いわゆる鎌錠を用いて引戸を係止固定している。例えば引戸側に鎌を設け、一方、枠側にストライクボックスを有する受け装置を設け、前記ストライクボックスに鎌を完全挿入し、これにより引戸が施錠される。この時色々な要因により「チリ」が発生する場合がある。
【０００３】
そこで、従来、この「チリ」を解消するための一例が、例えば実開平７−２１９４６号公報に開示されている。
【０００４】
しかして、この実施例の受け金具は、前面に開口を有するストライクボックスに調整ねじを回動可能に設け、この調整ねじに螺合する逆Ｕ字型状のジョイントプレートを前記ストライクボックスに内装し、ジョイントプレートには完全挿入された鎌と係止するストライクの上端部を係合させると共に、該ストライクの下端部をストライクボックスに横設された支軸に枢支している。
【０００５】
上記構成に於いては、例えばスクリュウドライバを用いて調整ねじを回動すると、ジョイントプレートが前後方向に移動する。その結果、ストライクが支軸を支点として回動し、鎌とストライクの係止面との距離が調整される。
【０００６】
【発明が解決しようとする課題】
上述したように、従来の「チリ」の調整の仕方は、もっぱら鎌に対する相手側の受け金具に設けた調整ねじを回動することにより行われていた。しかしながら、受け金具側の調整部材で「チリ」を調整する方法ないし構成は、次のような問題点がある。▲１▼ストライクボックス内に調整ねじ、ジョイントプレート、支軸など各部材を組み込まなければならない。しかして、各部材の組み合わせが面倒であると共に、ストライクボックスを小型化することができない。▲２▼調整装置を構成する各部材との関係で、鎌の形状や大きさが自ずから限定される。したがって、自由な形態の鎌を使用することができない。▲３▼「チリ」の調整範囲が決まっている。すなわち、受け装置側に完全挿入された引戸側の鎌の先端面と受け装置側の係止部材の係止面との間でしか調整できない。したがって、別の発想で戸枠と引戸の間を調整しようとする場合に、例えば風を通すために、引戸を多少開けたままの状態で、受け装置側の係止部材に鎌の先端部を係止しようと試みても、鎌を係止部材に係止することができない場合が多い。
【０００７】
そこで、請求項１記載の発明は、組み合わせが容易であると共に、ストライクボックスを小型化することができ、また自由な形態の鎌を使用することができ、さらに、受け装置側の係止部材に鎌の先端部を係止した施錠状態を保ちながら引戸を多少開けたままの状態にすることができる引戸調整用鎌を提供することである。また他の請求項に記載の発明は、鎌先端部が鎌本体に対して容易に抜けないことや、鎌本体が調整ねじに対して前後方向にいわゆる「ガタガタ」しない引戸調整用鎌を提供することである。
【０００８】
【課題を解決するための手段】
本発明の引戸調整用鎌は、鎌本体と、この鎌本体に調整可能に取付けられる鎌先端部と、前記鎌本体に設けられメネジ部と螺合した状態で鎌先端部と鎌本体とを一体的に結合する調整ねじとから構成され、前記鎌本体には、鎌先端部の係合部がスラド係合するガイド切欠部が形成されている引戸調整用鎌。
【０００９】
上記構成に於て、鎌先端部の係合部は、鎌本体のガイド切欠部の第１切欠部に嵌合する首状嵌合部と、この首状嵌合部に対し外方向に膨出し、かつ、ガイド切欠部の第２切欠部と係合する抜脱防止部とから成り、少なくとも前記首状嵌合部の前壁には調整ねじの係合頭部が嵌合する前壁凹所が形成されていることを特徴とする。
【００１０】
【発明の実施の形態】
以下、図面に示す本発明の実施の形態を、鎌を有する引戸と、この引戸に対する枠の凹所に組み込んだ受け装置との関係で説明する。
【００１１】
まず図１ないし図８に基づき本発明の使用状態の一例について説明する。１は引戸である。２は引戸１に設けられた錠ケースで、この錠ケース２の内部には錠フロント３から出没する鎌４が回動可能に設けられている。鎌４は、図３で示す引戸１の室外側に設けられたシリンダー錠６あるいは室内側の摘み７を施錠方向に操作すると、図１で示すように時計方向に回転し、その鎌先端部が引戸用受け具８の係止部材の機能を有するフロント板９等の内面と対向する。
【００１２】
前記引戸用受け具８は、戸枠１０に形成された凹所１１内に組み込まれ、前壁に開口１２を有するストライクボックス１３と、このストライクボックス１３に複数個の固着具１４を介して固定されるフロント板９とから構成されている。もちろん引戸用受け具８には、「チリ」を調整するために、適当な調整装置を組み込んでも良い。引戸用受け具８は一対の引戸同士で使用される場合には、他方の引戸の凹所が形成された側面に埋設される。
【００１３】
前記ストライクボックス１３は直方体の空間部１５を有し、前壁から上下に伸びるフランジ１３ａ、１３ａには固着具１４、１４用の貫通孔１５、１５が形成されている。また前記フロント板９の形状は、丁度ストライクボックス１３の前壁と一致し、フロント板９の中央部あるいは下端部寄りの部位には、ストライクボックス１３の開口１２よりも小さい矩形状のフロント開口１６が形成されている。そして、フロント板９の上下端部には、フランジ１３ａ、１３ａの貫通孔１５、１５と符合する固着具１４、１４用の支持孔１７、１７が形成されている。
【００１４】
次に本発明の引戸調整用鎌４について説明する。鎌４は、図６で示すようにアーム状の鎌本体２０と、この鎌本体２０に調整可能に取付けられる爪状の鎌先端部３０と、この鎌先端部３０と鎌本体２０とを一体的に結合する調整ねじ４０とから構成されている。そこで、これらの３つの部材について順次説明をする。
【００１５】
まず鎌本体２０は、全体としてアーム状の形態を呈しているが、少なくとも受け具８内に入り込む先端部には、鎌先端部３０を調整ねじ４０の軸方向（水平方向）に案内するガイド切欠部２３が形成されている。また調整ねじ４０が螺合するメネジ部２４がこのガイド切欠部２３の後方に形成されいる。さらに、必ずしも必要ではないが、好ましくはメネジ部２４から調整ねじ４０が外れないような構成を採用するために、メネジ部２４に続いて逃がし用切欠部２５が形成されている。なお、５は鎌４の後端部に形成された軸孔である。
【００１６】
しかして、前記ガイド切欠部２３は、水平向に比較的長い小径の第１切欠部２３ａと、この第１切欠部２３ａの下方に連設する大径の第２切欠部２３ｂとから成る。この第１実施例に於いては、第１切欠部２３ａは横方向の角柱状の空間部であり、一方、第２切欠部２３ｂは横方向の円柱状の空間部の形態を呈している。
【００１７】
次に鎌先端部３０は、前記ガイド切欠部２３と係合する係合部３１と、この係合部３１から上方に延びる掛合部３２とから構成されている。しかして、前記係合部３１は、鎌本体２０のガイド切欠部２３の形態に対応し、角柱状の第１切欠部２３ａに嵌合する首状嵌合部３１ａと、この首状嵌合部３１ａに対し外方向に膨出し、かつ、円柱状の第２切欠部２３ｂと係合する抜脱防止部３１ｂとから成る。そして、前記首状嵌合部３１ａの前壁及び後壁には凹所３３、３４がそれぞれ形成されていると共に、これら前壁凹所３３及び後壁凹所３４は軸方向に形成された調整ねじ用貫通孔３５を介して連通している。
【００１８】
ところで、この第１実施例に於いては、鎌先端部３０は、図５で示すように縦方向に２分割されており、左右一対の鎌先端部片で構成されている。したがって、前記掛合部３２には横方向に複数個のメネジ孔３６が形成され、これらのメネジ孔３６に固着具としてのボルト３７を螺合することにより、左右一対の鎌先端部片は一体的に結合し、鎌先端部３０を構成する。
【００１９】
次に調整ねじ４０は、鎌先端部３０の前壁凹所３３に遊嵌する係合頭部４１と、前記首状嵌合部３１ａの貫通孔３５内に位置する小径部４２と、先端部が前記後壁凹所３４に嵌合すると共に、鎌本体２０のメネジ部２４と螺合する大径の螺杆部４３とから成り、後端部にはストッパー用Ｃ型リング４５が装着可能な周溝４４が形成されている。
【００２０】
上記構成に於て、鎌４を構成する各部材２０、３０、４０の組み合わせについて説明する。まず調整ねじ４０を鎌本体２０のメネジ部２４に螺合させ、メネジ部２４から突出した調整ねじ４０の周溝４４にＣ型リング４５を装着する。次に調整ねじ４０の先端部を挟むように２分割状態の鎌先端部片を合わせる。この時鎌先端部３０側の首状嵌合部３１ａの凹所３３、３４を調整ねじ４０側の係合頭部４１、大径先端部４３ａにそれぞれ合わせる。そして、左右の鎌先端部片がぴったりと接合したならばボルト３７をメネジ孔３６に螺合させ、左右の鎌先端部片を結合する。
【００２１】
次に今仮に、図１で示すように「チリ」、すなわち、受け具側８に完全挿入された引戸側１の鎌４と受け具８側のフロント板９等の係止面との隙間を微調整しようとする場合は、まず鎌４の係合を解除して引戸１を開き、次にスクリュウドライバで調整ねじ４０を回転する。そうすると、調整ねじ４０は鎌本体２０のガイド切欠部２３に案内されながら移動し、その結果、図７で示すように鎌先端部３０とフロント板９等の係止面との距離が調整される。
【００２２】
ところで、別の発想で戸枠１０と引戸１の間を調整しようとする場合に、例えば風を通すために、引戸１を多少（７ｃｍ程度まで）開けたままの状態で、受け装置８側の係止部材９に鎌４の鎌先端部３０を係止しようと試みる場合は、鎌先端部３０を鎌本体２０に対し、受け装置８側の係止部材９から可能な限り離れるように調整する。その結果、図８で示すように引戸１を多少開けた状態で使用することもできる。
【００２３】
【実施例】
以下、本発明の鎌側に設けた調整ねじで戸枠と引戸の間を調整できる実施例を列挙する。なお、実施例の説明に於いては、図面に発明の実施の形態で説明した符号をそのまま付し、あるいは同様の符号を付し、重複する説明を省略する。
【００２４】
まず図５ないし図８は、発明の実施の形態で説明した第１実施例である。この第１実施例は、アーム状の鎌本体２０と、この鎌本体２０に調整可能に取付けられる爪状の鎌先端部３０と、前記鎌本体２０に設けられメネジ部２４と螺合した状態で鎌先端部３０と鎌本体２０とを一体的に結合する調整ねじ４０とから構成されている。
【００２５】
しかして、前記鎌本体２０には、鎌先端部３０の係合部３１がスライド係合するガイド切欠部２３が形成されている。一方、鎌先端部３０の係合部３１は、前記ガイド切欠部２３の第１切欠部２３ａに嵌合する首状嵌合部３１ａと、この首状嵌合部３１ａに対し外方向に膨出し、かつ、ガイド切欠部２３の第２切欠部２３ｂと係合する抜脱防止部３１ｂとから成り、前記首状嵌合部３１ａの前壁には調整ねじ４０の係合頭部４１が嵌合する前壁凹所３３が形成されていると共に、その後壁には調整ねじ４０の大径先端部４３ａが嵌合する凹所３４が形成されている。そして、鎌本体２０は縦方向に２分割されており、左右一対の鎌先端部片で構成されている。その他の細部の構成は、発明の実施の形態で詳細に説明したので省略する。
【００２６】
次に図９及び図１０は第２実施例である。この第２実施例の鎌４Ａは、アーム状の鎌本体２０Ａと、この鎌本体２０Ａに調整可能に取付けられる爪状の鎌先端部３０Ａと、前記鎌本体２０Ａに設けられメネジ部２４Ａと螺合した状態で鎌先端部３０Ａと鎌本体２０Ａとを一体的に結合する調整ねじ４０Ａとから構成されている。そして、鎌先端部３０Ａの前壁には凹所３３Ａが形成されている。
【００２７】
この第２実施例の鎌先端部３０Ａは、縦方向に２分割されていない点、また鎌先端部３０Ａの後壁に調整ねじ用４０Ａの嵌合凹所が形成されていない点が第１実施例と異なる。一方、調整ねじ４０Ａは大径部と小径部との区別がなく、また抜脱ではなく、鎌先端部３０の「ガタ」防止用Ｃ型リング４５Ａが装着される周溝４４Ａも調整ねじ４０Ａの後端部ではなく、鎌先端部３０Ａの貫通孔３５Ａを丁度貫通した部位に形成されている点が異なる。
【００２８】
この第２実施例に於いて、鎌本体２０Ａに鎌先端部３０Ａを取り付ける場合は、予め調整ねじ４０Ａを鎌先端部３０Ａの貫通孔３５Ａに貫通すると共に、調整ねじ４０Ａの係合頭部４１Ａを鎌先端部３０Ａの前壁凹所３３Ａに正確に嵌合して周溝４４ＡにＣ型リング４５Ａを装着する。しかる後に調整ねじ４０Ａの螺杆部４３Ａを鎌本体２０Ａのメネジ部２４Ａに螺合する。このように構成すると、組み合わせの工程が省かれるという利点がある。
【００２９】
【発明の効果】
以上の説明から明らかなように、本発明にあっては次に列挙するような効果がある。
（１）鎌用の受け具側に「チリ」調整手段を設けるのではなく、いわば逆の発想で鎌側に「チリ」調整手段を設けたので、各部材の組み合わせが容易であると共に、ストライクボックスを小型化することができる。
（２）また受け具側の「チリ」調整手段との関係を考慮する必要がないので、自由な形態の鎌を使用することができる。
（３）さらに、受け装置側の係止部材に鎌の先端部を係止した施錠状態を保ちながら引戸を多少（７ｃｍ程度まで）開けたままの状態にすることができる。
（４）鎌先端部が鎌本体に対して容易に抜けない。
（５）鎌先端部が鎌本体に対して前後方向にいわゆる「ガタガタ」しない。
（６）簡単な操作で「チリ」を微調整することができる。
【図面の簡単な説明】
図１ないし図８は本発明の実施の形態を説明するための各説明図。特に図５ないし図８は本発明の第１実施例の各説明図。図９及び１０図は本発明の第２実施例を示す概略説明図。
【図１】第１実施例を用いた実施の形態を説明するための説明図。
【図２】実施の形態を説明するための図１の主要部の拡大説明図。
【図３】実施の形態を説明するための正面図。
【図４】実施の形態を説明するための斜視図。
【図５】第１実施例の分解斜視図。
【図６】第１実施例の概略断面説明図。
【図７】調整ねじを調整した後の使用態様の一例を示す概略説明図。
【図８】調整ねじを調整した後の使用態様の他の例を示す概略説明図。
【図９】本発明の第２実施例の分解斜視図。
【図１０】本発明の第２実施例の概略断面説明図。
【符号の説明】
１…引戸、２…錠ケース、３…錠フロント、
４…鎌、８…受け具、９…フロント板、
１３…ストライクボックス、
２０…鎌本体、３０…鎌先端部、４０…調整ねじ、
２３…ガイド切欠部、２４…メネジ部、２５…逃がし用切欠部、
２３ａ…第１切欠部、２３ｂ…第２切欠部、
３０…鎌先端部、３１…係合部、３１ａ…首状嵌合部、
３１ｂ…抜脱防止部、３２…掛合部、
３３…前壁凹所、３４…後壁凹所、３５…貫通孔、
４１…係合頭部、４２…小径部、４３…螺杆部、４３ａ…大径先端部、
４４…周溝、４５…Ｃ型リング。
【図１】
0003606646.tif 000002
【図２】
0003606646.tif 000003
【図３】
0003606646.tif 000004
【図４】
0003606646.tif 000005
【図５】
0003606646.tif 000006
【図６】
0003606646.tif 000007
【図７】
0003606646.tif 000008
【図８】
0003606646.tif 000009
【図９】
0003606646.tif 000010
【図１０】
0003606646.tif 000011